(57)【特許請求の範囲】
【請求項１】
吸込口と吹出口とを有する略箱形状の本体ケースと、
前記本体ケース内に設けた加湿手段と、
前記加湿手段に水を供給するタンク部と、
前記吸込口から吸い込んだ空気を、送風路によって、前記加湿手段を介して前記吹出口へ送風する送風手段とからなり、
前記送風手段は、前記本体ケースにおける一方側に設けられ、前記タンク部は、前記本体ケースにおける他方側のタンク装着部に装着され、前記タンク部を前記タンク装着部に装着したときに、前記タンク部と前記タンク装着部の一方側内面との間に空間を有するように前記タンク部を保持するタンク保持手段を有し、
前記加湿手段は、
水を貯水できる貯水容器部と、
前記貯水容器部の水を含水する加湿フィルター部と、
前記加湿フィルター部を前記貯水容器部に固定する固定枠部を有し、
前記タンク部は、前記貯水容器部の前記本体ケースにおける他方側に設けられ、
前記固定枠部は、前記貯水容器部の前記本体ケースにおける一方側に設けられ、
前記タンク保持手段は、前記固定枠部に設けた突起部で、前記突起部は、前記固定枠部から前記タンク部側へ突出し、前記タンク部に接触することを特徴とする加湿装置。
【請求項２】
前記タンク部と前記固定枠部との間には、前記送風路の一部を備えたことを特徴とする請求項１に記載の加湿装置。
【請求項３】
前記固定枠部は、柔軟性を有することを特徴とする請求項１または２に記載の加湿装置。
【請求項４】
前記タンク部は、前記タンク部を前記タンク装着部に装着したときに、前記タンク部が前記貯水容器部の他方側内面へ押し付けられることを特徴とする請求項３に記載の加湿装置。
【請求項５】
吸込口と吹出口とを有する略箱形状の本体ケースと、
前記本体ケース内に設けた加湿手段と、
前記加湿手段に水を供給するタンク部と、
前記吸込口から吸い込んだ空気を、送風路によって、前記加湿手段を介して前記吹出口へ送風する送風手段とからなり、
前記送風手段は、前記本体ケースにおける一方側に設けられ、前記タンク部は、前記本体ケースにおける他方側のタンク装着部に装着され、前記タンク部を前記タンク装着部に装着したときに、前記タンク部と前記タンク装着部の一方側内面との間に空間を有するように前記タンク部を保持するタンク保持手段を有し、
前記加湿手段は、
水を貯水できる貯水容器部と、
前記貯水容器部の水を含水する加湿フィルター部とを有し、
前記タンク部は、前記貯水容器部の前記本体ケースにおける他方側に設けられ、
前記タンク保持手段は、前記タンク部の下方において前記貯水容器部の底面から上方に伸びる複数の支持部で、
前記本体ケースにおける他方側の前記支持部は、前記本体ケースにおける一方側の前記支持部より高さが低いことを特徴とする加湿装置。
【発明の詳細な説明】
【技術分野】
【０００１】
本発明は、着脱式のタンク部から供給される水で、加湿フィルターを湿らせ、この加湿フィルターに送風することにより、室内を加湿する加湿装置に関する。
【背景技術】
【０００２】
従来のこの種の加湿装置の構成は以下のようになっていた。
【０００３】
すなわち、吸込口と吹出口とを有する本体ケースと、本体ケース内に設けた加湿部と、加湿部に水を供給するタンク部とから構成されている。本体ケースは、天面の開口部からタンク部を挿入できるタンク装着部と、開口部を塞ぐと共に開口部から取り外し可能な蓋部とを有している。この蓋部を本体ケースの開口部から取り外すことによって、タンク部をタンク装着部から出し入れすることができる構成としている。
【先行技術文献】
【特許文献】
【０００４】
【特許文献１】特開２００８−２５９１２号公報
【発明の概要】
【発明が解決しようとする課題】
【０００５】
上記従来例における課題は、加湿装置における使用感の更なる向上ということであった。
【０００６】
従来の物においては、タンク部は、タンク装着部に着脱可能なので、タンク部の側周面とタンク装着部との間には空間を備えている。しかし、タンク部の置き方によっては、タンク装着部の内面とタンク部の側周面とが接触する場合が考えられる。ここで、タンク装着部の内面においても、特に送風手段側の内面と接触すると、送風手段の振動によって、タンク部が振動する場合が考えられる。
【０００７】
そこで本発明は、送風手段の振動によって、タンク部が振動することを抑制し、加湿装置における使用感の向上を目的とするものである。
【課題を解決するための手段】
【０００８】
そして、この目的を達成するために、本発明は、吸込口と吹出口とを有する略箱形状の本体ケースと、前記本体ケース内に設けた加湿手段と、前記加湿手段に水を供給するタンク部と、前記吸込口から吸い込んだ空気を、送風路によって、前記加湿手段を介して前記吹出口へ送風する送風手段とからなり、前記送風手段は、前記本体ケースにおける一方側に設けられ、前記タンク部は、前記本体ケースにおける他方側のタンク装着部に装着され、前記タンク部を前記タンク装着部に装着したときに、前記タンク部と前記タンク装着部の一方側内面との間に空間を有するように前記タンク部を保持するタンク保持手段を有し、前記加湿手段は、水を貯水できる貯水容器部と、前記貯水容器部の水を含水する加湿フィルター部と、前記加湿フィルター部を前記貯水容器部に固定する固定枠部を有し、前記タンク部は、前記貯水容器部の前記本体ケースにおける他方側に設けられ、前記固定枠部は、前記貯水容器部の前記本体ケースにおける一方側に設けられ、前記タンク保持手段は、前記固定枠部に設けた突起部で、前記突起部は、前記固定枠部から前記タンク部側へ突出し、前記タンク部に接触することを特徴としたものであり、これにより所期の目的を達成するものである。
【発明の効果】
【０００９】
本発明によれば、吸込口と吹出口とを有する略箱形状の本体ケースと、前記本体ケース内に設けた加湿手段と、前記加湿手段に水を供給するタンク部と、前記吸込口から吸い込んだ空気を、送風路によって、前記加湿手段を介して前記吹出口へ送風する送風手段とからなり、前記送風手段は、前記本体ケースにおける一方側に設けられ、前記タンク部は、前記本体ケースにおける他方側のタンク装着部に装着され、前記タンク部を前記タンク装着部に装着したときに、前記タンク部と前記タンク装着部の一方側内面との間に空間を有するように前記タンク部を保持するタンク保持手段を有し、前記加湿手段は、水を貯水できる貯水容器部と、前記貯水容器部の水を含水する加湿フィルター部と、前記加湿フィルター部を前記貯水容器部に固定する固定枠部を有し、前記タンク部は、前記貯水容器部の前記本体ケースにおける他方側に設けられ、前記固定枠部は、前記貯水容器部の前記本体ケースにおける一方側に設けられ、前記タンク保持手段は、前記固定枠部に設けた突起部で、前記突起部は、前記固定枠部から前記タンク部側へ突出し、前記タンク部に接触するので、送風手段の振動によって、タンク部が振動しても、その周囲の壁部に衝突することを抑制できる。
【００１０】
結果として、加湿装置における衝突音やビビリ音を抑制し、使用感を向上させることができる。
【図面の簡単な説明】
【００１１】
【図１】本発明の実施の形態１の加湿装置の斜視図
【図２】同加湿装置の断面図
【図３】同加湿装置の断面図
【図４】同加湿装置の断面図
【図５】同加湿装置の加湿手段の斜視図
【図６】本発明の実施の形態２の加湿装置の断面図
【発明を実施するための形態】
【００１２】
以下、本発明の実施の形態について図面を参照しながら説明する。
【００１３】
（実施の形態１）
図１は、本発明の実施の形態１の加湿装置の斜視図である。図２は、本発明の実施の形態１の加湿装置を前面から見た断面図である。図２は、蓋部を開けた状態である。図３は、本発明の実施の形態１の加湿装置を前面から見た断面図である。図３は、蓋部を開け、タンク部を抜いた状態である。
【００１４】
図１、図２、図３に示すように、本体ケース１は、奥行き寸法より高さ寸法が大きく、高さ寸法より左右寸法が大きい箱形状である。本体ケース１の外周面の背面側には吸込口２が備えられている。本体ケース１の天面の一方側（本体ケースの正面から見て左側）には吹出口３が備えられ、本体ケース１の天面の他方側（本体ケースの正面から見て右側）には四角形状の開口部４が備えられている。
【００１５】
開口部４には、開口部４を塞ぐ蓋部５が装着されている。蓋部５を開くと、本体ケース１内には、天面の開口部４からタンク部６を挿入、装着できる縦長の穴であるタンク装着部７が備えられている。タンク装着部７は、本体ケース１における他方側（本体ケースの正面から見て右側）に設けられている。タンク装着部７の水平断面形状は、タンク部６の水平断面形状より一回り大きい。
【００１６】
図４は、本発明の実施の形態１の加湿装置を側面から見た断面図である。図４に示すように、本体ケース１内の風路上には、加湿手段９と、タンク部６と、送風手段８とが備えられている。
【００１７】
図５は、本発明の実施の形態１の加湿装置の加湿手段９の斜視図である。
【００１８】
図２、図５に示すように、加湿手段９は、貯水容器部１０と、加湿フィルター部１１と、固定枠部１２とから構成している。
【００１９】
貯水容器部１０は、水を貯水できる上面が開口した椀形状である。貯水容器部１０の一方側（本体ケースの正面から見て右側）には、タンク部６が装着され、貯水容器部１０の他方側（本体ケースの正面から見て左側）には、加湿フィルター部１１が装着される。タンク部６から供給された水が、貯水容器部１０内に所定の量だけ溜まる。
【００２０】
加湿フィルター部１１は、中心軸方向が上下方向である筒形状である。貯水容器部１０内に溜まった水に、下端部が浸漬するように、固定枠部１２によって、貯水容器部１０に装着されている。加湿フィルター部１１は、貯水容器部１０内に溜まった水を吸い上げ、加湿フィルター部１１全体が湿った含水状態になる。
【００２１】
固定枠部１２は、加湿フィルター部１１を貯水容器部１０に固定するものである。固定枠部１２は、貯水容器部１０の本体ケース１における一方側（本体ケース１の正面から見て左側）に設けられる。固定枠部１２は、貯水容器部１０の開口にはまる下環部分１３と、筒形状の加湿フィルター部１１上方に設けられた上環部分１４と、上環部分１４の外方側縁から下方に延び下環部分１３と連結する多数のフィルター外面支持部分１５と、上環部分１４の内方側縁から下方に延びる多数のフィルター内面支持部分１６とを備えている。加湿フィルター部１１は、上環部分１４とフィルター外面支持部分１５とフィルター内面支持部分１６との間に嵌る。
【００２２】
タンク部６は、貯水容器部１０の本体ケース１における他方側に設けられる。
【００２３】
タンク部６は、水を貯水できるタンク容器部分１７と、タンク容器部分１７の上方に設けられたタンク取手部分１８と、タンク容器部分１７の下方に備えた加湿手段９へ水を供給するタンク給水部分１９とから形成されている。タンク容器部分１７は、上下方向に長い略四角柱の形状をしている。タンク部６を開口部４よりタンク装着部７へ挿入し、貯水容器部１０の底面へ当接することで、タンク部６をタンク装着部７に装着することができる。
【００２４】
タンク取手部分１８は、略棒形状で本体ケース１における前後方向に延びる形状で構成されており、使用者はタンク取手部分１８を持って、タンク部６をタンク装着部７へ装着をおこなう。
【００２５】
送風手段８は、加湿フィルター部１１の上方に設けられている。モータ２０と、モータ２０によって回転する羽根２１とから構成している。
【００２６】
続いて、加湿装置における空気の流れを説明する。吸込口２と吹出口３とを連通する送風路２２には、吸込口２、加湿フィルター部１１、送風手段８、吹出口３が順に配置されている。送風手段８によって、本体ケース１外の空気が、吸込口２から吸い込まれ、加湿フィルター部１１へ送風される。この加湿フィルター部１１を通過することによって、湿った空気となる。この湿った空気が、送風手段８を介し、吹出口３から室内へ送風される。
【００２７】
本実施形態における特徴は、タンク部６をタンク装着部７に装着したときに、タンク部６とタンク装着部７の一方側内面２４との間に空間を有するようにタンク部６を保持するタンク保持手段２３を有する点である。
【００２８】
すなわち、タンク部６をタンク装着部７に装着したときに、タンク部６とタンク装着部７の一方側内面２４との間に空間を有するようにタンク部６を保持するタンク保持手段２３を有するので、送風手段８の振動によって、タンク部６が振動し、タンク装着部７の一方側内面２４に衝突することを抑制できる。結果として、加湿装置における衝突音やビビリ音を抑制し、使用感を向上させることができる。
【００２９】
具体的には、タンク保持手段２３は、固定枠部１２に設けた突起部２５である。この突起部２５は、固定枠部１２の下環部分１３のタンク部６側に備え、タンク装着部７の一方側内面２４よりタンク部６側に突出しており、タンク部６の側面下部に接触する。
【００３０】
これにより、タンク部６をタンク装着部７に装着したときに、タンク部６の側面下部が突起部２５に接触することで、タンク部６はタンク装着部７の他方側（一方側内面２４から離れる方向）へ押される。
【００３１】
すなわち、タンク部６とタンク装着部７の一方側内面２４との間に空間を有するので、送風手段８の振動によって、タンク部６が振動しても、タンク装着部７の一方側内面２４に衝突することを抑制できる。これにより、加湿装置における衝突音やビビリ音を抑制し、使用感を向上させることができる。
【００３２】
更に、突起部２５は、固定枠部１２の下環部分１３からタンク部６側へ突出し、タンク部６の下部に接触する。これにより、タンク部６をタンク装着部７へ装着する場合に、装着時の最初、タンク装着部７の上部では、突起部２５にタンク部６は接触せず、装着時の最後、タンク装着部７の下部で、突起部２５にタンク部６は接触する。結果として、タンク部６をタンク装着部７へ装着し易いものである。
【００３３】
また、タンク部６と固定枠部１２（加湿フィルター部１１）との間には、送風路２２の一部を備えている。
【００３４】
すなわち、送風路２２が増えることで、加湿フィルター部１１を空気が通過する通風面（加湿する部位）が増える。これにより、加湿フィルター部１１が効率良く空気に加湿処理をできることから加湿効率が向上し、加湿量の増加や加湿装置の小型化ができる。また、送風量を低減することもできるため、騒音や消費電力の低減ができる。
【００３５】
また、固定枠部１２は、柔軟性を有する。具体的には、固定枠部１２は、材質が樹脂の成型品である。固定枠部１２において、最も幅の狭い板形状であるフィルター外面支持部分１５が撓み易い。これにより、固定枠部１２は、柔軟性を有するものである。
【００３６】
すなわち、送風手段８の振動が、何らかの経路で固定枠部１２に伝わる。この固定枠部１２に伝わった振動を、固定枠部１２の柔軟性、つまりフィルター外面支持部分１５で減衰させることで、タンク部６へ伝わる振動を最小限に抑え、タンク部６が振動することで起こる不具合、つまりはタンク部６がタンク装着部７の一方側内面２４に衝突することを抑制できる。
【００３７】
これにより、加湿装置における衝突音やビビリ音を抑制し、使用感を向上させることができる。また、突起部２５とタンク部６の側面下部が衝突した場合でも、その衝撃力を突起部２５を備えた固定枠部１２の柔軟性で受け止めることで、衝突音を最小限に抑えることができる。
【００３８】
また、タンク部６は、タンク部６をタンク装着部７に装着したときに、タンク部６が貯水容器部１０の他方側内面２６に押し付けられる。
【００３９】
すなわち、タンク部６の側面下部が、柔軟性を有した固定枠部１２の突起部２５によりタンク装着部７の他方側（一方側内面２４から離れる方向）、つまりは貯水容器部１０の他方側内面２６に押し付けられることで、タンク部６の側面下部を突起部２５と貯水容器部１０の他方側内面２６で挟み込まれ、固定されることになる。これにより、送風手段８の振動が何らかの経路でタンク部６に伝わった際でも、タンク部６は固定されているため、タンク装着部７の一方側内面２４に衝突することを抑制できる。結果として、加湿装置における衝突音やビビリ音を抑制し、使用感を向上させることができる。
【００４０】
（実施の形態２）
図６は、本発明の実施の形態２の加湿装置を示す断面図である。図６は、前面から見た断面図である。実施の形態１と同様の構成要素については同一の符号を付し、その詳細な説明は省略する。
【００４１】
実施の形態１と相違する点は、タンク保持手段２３である。
【００４２】
タンク保持手段２３は、タンク部６の下方において貯水容器部１０の底面から上方に伸びる複数の支持部２７である。これらの支持部２７の中で、本体ケース１における他方側の支持部２８は、本体ケース１における一方側の支持部２９より高さが低い。
【００４３】
すなわち、タンク部６をタンク装着部７へ挿入し、装着する際に、タンク部６の底面部は貯水容器部１０の支持部２７に当接することになる。その時、各支持部２７の高さ違いにより、タンク部６の底面部は支持部２７と斜めに当接することになり、その結果、タンク部６はタンク装着部７の他方側（一方側内面２４から離れる方向）へ傾斜した位置関係でタンク装着部７に装着されることになる。これにより、送風手段８の振動によって、タンク部６が振動し、タンク装着部７の一方側内面２４に衝突することを抑制できる。結果として、加湿装置における衝突音やビビリ音を抑制し、使用感を向上させることができる。
【産業上の利用可能性】
【００４４】
本発明にかかる加湿装置は、吸込口と吹出口とを有する略箱形状の本体ケースと、前記本体ケース内に設けた加湿手段と、前記加湿手段に水を供給するタンク部と、前記吸込口から吸い込んだ空気を、送風路によって、前記加湿手段を介して前記吹出口へ送風する送風手段とからなり、前記送風手段は、前記本体ケースにおける一方側に設けられ、前記タンク部は、前記本体ケースにおける他方側のタンク装着部に装着され、前記タンク部を前記タンク装着部に装着したときに、前記タンク部と前記タンク装着部の一方側内面との間に空間を有するように前記タンク部を保持するタンク保持手段を有するので、送風手段の振動によって、タンク部が振動することを抑制できる。
【００４５】
結果として、加湿装置における使用感を向上させることができるものであるので、家庭用や事務所用などに使用される加湿装置等として有用である。
【符号の説明】
【００４６】
１  本体ケース
２  吸込口
３  吹出口
４  開口部
５  蓋部
６  タンク部
７  タンク装着部
８  送風手段
９  加湿手段
１０  貯水容器部
１１  加湿フィルター部
１２  固定枠部
１３  下環部分
１４  上環部分
１５  フィルター外面支持部分
１６  フィルター内面支持部分
１７  タンク容器部分
１８  タンク取手部分
１９  タンク給水部分
２０  モータ
２１  羽根
２２  送風路
２３  タンク保持手段
２４  一方側内面
２５  突起部
２６  他方側内面
２７  支持部
２８  他方側の支持部
２９  一方側の支持部
【図１】
0006361025.tif 000002
【図２】
0006361025.tif 000003
【図３】
0006361025.tif 000004
【図４】
0006361025.tif 000005
【図５】
0006361025.tif 000006
【図６】
0006361025.tif 000007